(57)【要約】【課題】取付部材に保持された電線の長手方向に沿ってしか、端子金具の取付部を取付部材に取り付けられない場合でも、端子金具の電線接続部を前記電線に圧接接続させることができる当該端子金具と電線との接続構造を提供する。【解決手段】接続構造１０に用いられる圧接端子１Ａ，１Ｂは、取付部材２に保持された電線３に圧接接続する電線接続部１１Ａ，１１Ｂと、取付部材２に取り付けられる取付部１２Ａ，１２Ｂと、電線接続部１１Ａ，１１Ｂと取付部１２Ａ，１２Ｂとを連結した部分が折り曲げられて設けられ、ネジ４により取付部１２Ａ，１２Ｂが取付部材２に取り付けられるのに連動して縮んだ状態から伸びた状態に変形することにより、電線接続部１１Ａ，１１Ｂを電線３に圧接接続させる連結部１３Ａ，１３Ｂと、を有している。【選択図】図５
2009076225.tif 000002
【特許請求の範囲】
【請求項１】
取付部材に保持された電線に接続される端子金具であって、
前記電線に圧接接続する電線接続部と、
前記取付部材に取り付けられる取付部と、
前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、
を有していることを特徴とする端子金具。
【請求項２】
取付部材に保持された電線と端子金具とを接続させる接続構造であって、
前記電線に圧接接続する電線接続部と、前記取付部材に取り付けられる取付部と、前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、を有した前記端子金具と、
前記連結部を縮んだ状態から伸びた状態に変形させる変形手段と、
を有していることを特徴とする接続構造。
【請求項３】
前記変形手段が、
前記取付部材との間に前記連結部を位置付ける挟持部材と、
前記取付部が前記取付部材に取り付けられるのに連動して、前記挟持部材を前記取付部材に近付く方向に移動させる移動部材と、
を有していることを特徴とする請求項２に記載の接続構造。
【請求項４】
前記移動部材が、前記取付部に設けられた貫通穴と前記挟持部材に設けられた貫通穴との双方に通されてこれら取付部と挟持部材とを前記取付部材に取り付けるネジである
ことを特徴とする請求項３に記載の接続構造。
【請求項５】
前記挟持部材に、前記電線接続部が前記電線を圧接する方向を規制する規制部がさらに設けられている
ことを特徴とする請求項３または請求項４に記載の接続構造。
【請求項６】
前記取付部が互いに重なるとともに前記電線接続部及び前記連結部が互いにずれた位置に位置付けられる一対の前記端子金具と、
これら端子金具の前記取付部同士の間に設けられて前記端子金具同士を絶縁する絶縁部材と、をさらに有している
ことを特徴とする請求項２ないし請求項５のうち１項に記載の接続構造。
【請求項７】
前記端子金具を介して前記電線と接続されるプリント基板をさらに有し、そして、
前記プリント基板が、前記取付部とともに重ねられて前記取付部材に取り付けられる
ことを特徴とする請求項２ないし請求項６のうち１項に記載の接続構造。
【発明の詳細な説明】
【技術分野】
【０００１】
本発明は、端子金具及びその端子金具と電線とを接続させる接続構造に関するものである。
【背景技術】
【０００２】
従来、取付部材としてのケースなどに保持された電線に接続される端子金具として、特許文献１などに示す圧接端子が知られている。この特許文献１に示された圧接端子は、その先端部に前記電線の被覆部を突き破って該電線の芯線に圧接接続する電線接続部としての圧接刃が設けられている。この圧接端子は、前記ケースに取り付けられることにより、前記圧接刃が前記電線に近付けられて上述したように該電線の芯線に圧接接続する。
【０００３】
このように、ケースなどに保持された電線に接続される従来の圧接端子は、当該圧接端子がケースに取り付けられる方向と、圧接刃が前記電線を圧接する方向とが同一方向とされた構成であった。
【０００４】
一方、上述した電線及び圧接端子などにより構成される電子機器は、近年の小型化傾向により、前記電線と前記圧接端子との接続スペースや前記電線の布線方向に制限がある場合が多く、例えば、前記ケースに保持された前記電線の長手方向に沿ってしか、前記圧接端子を前記ケースに取り付けられない場合があるという問題があった。
【特許文献１】特開２００１−３２７０３８号公報
【発明の開示】
【発明が解決しようとする課題】
【０００５】
したがって、本発明は、電線接続部と取付部とを有する端子金具であって、取付部材に保持された電線の長手方向に沿ってしか、前記取付部を取付部材に取り付けられない場合でも、前記電線接続部を前記電線に圧接接続させることができる端子金具、及び該端子金具と前記電線とを接続させる接続構造を提供することを目的とする。
【課題を解決するための手段】
【０００６】
上記目的を達成するために、請求項１に記載された発明は、取付部材に保持された電線に接続される端子金具であって、前記電線に圧接接続する電線接続部と、前記取付部材に取り付けられる取付部と、前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、を有していることを特徴とする端子金具である。
【０００７】
請求項２に記載された発明は、取付部材に保持された電線と端子金具とを接続させる接続構造であって、前記電線に圧接接続する電線接続部と、前記取付部材に取り付けられる取付部と、前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、を有した前記端子金具と、前記連結部を縮んだ状態から伸びた状態に変形させる変形手段と、を有していることを特徴とする接続構造である。
【０００８】
請求項３に記載された発明は、請求項２に記載された発明において、前記変形手段が、前記取付部材との間に前記連結部を位置付ける挟持部材と、前記取付部が前記取付部材に取り付けられるのに連動して、前記挟持部材を前記取付部材に近付く方向に移動させる移動部材と、を有していることを特徴とするものである。
【０００９】
請求項４に記載された発明は、請求項３に記載された発明において、前記移動部材が、前記取付部に設けられた貫通穴と前記挟持部材に設けられた貫通穴との双方に通されてこれら取付部と挟持部材とを前記取付部材に取り付けるネジであることを特徴とするものである。
【００１０】
請求項５に記載された発明は、請求項３または請求項４に記載された発明において、前記挟持部材に、前記電線接続部が前記電線を圧接する方向を規制する規制部がさらに設けられていることを特徴とするものである。
【００１１】
請求項６に記載された発明は、請求項２ないし請求項５のうち１項に記載された発明において、前記取付部が互いに重なるとともに前記電線接続部及び前記連結部が互いにずれた位置に位置付けられる一対の前記端子金具と、これら端子金具の前記取付部同士の間に設けられて前記端子金具同士を絶縁する絶縁部材と、をさらに有していることを特徴とするものである。
【００１２】
請求項７に記載された発明は、請求項２ないし請求項６のうち１項に記載された発明において、前記端子金具を介して前記電線と接続されるプリント基板をさらに有し、そして、前記プリント基板が、前記取付部とともに重ねられて前記取付部材に取り付けられることを特徴とするものである。
【発明の効果】
【００１３】
請求項１に記載された発明によれば、電線に圧接接続する電線接続部と、取付部材に取り付けられる取付部と、前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、を有していることから、取付部材に保持された電線の長手方向に沿ってしか、取付部を取付部材に取り付けられない場合でも、電線接続部を電線に圧接接続させることができる端子金具を提供することができる。
【００１４】
請求項２に記載された発明によれば、電線に圧接接続する電線接続部と、取付部材に取り付けられる取付部と、前記電線接続部と前記取付部とを連結した部分が折り曲げられて設けられ、前記取付部が前記取付部材に取り付けられるのに連動して縮んだ状態から伸びた状態に変形することにより、前記取付部が前記取付部材に取り付けられる方向と交差する方向に沿って前記電線接続部を前記電線に圧接接続させる連結部と、を有した前記端子金具と、前記連結部を縮んだ状態から伸びた状態に変形させる変形手段と、を有していることから、取付部材に保持された電線の長手方向に沿ってしか、取付部を取付部材に取り付けられない場合でも、電線接続部を電線に圧接接続させることができる接続構造を提供することができる。
【００１５】
請求項３に記載された発明によれば、前記変形手段が、前記取付部材との間に前記連結部を位置付ける挟持部材と、前記取付部が前記取付部材に取り付けられるのに連動して、前記挟持部材を前記取付部材に近付く方向に移動させる移動部材と、を有していることから、連結部が、挟持部材によって取付部材に向かって押し付けられて、縮んだ状態から伸びた状態に変形する。
【００１６】
請求項４に記載された発明によれば、前記移動部材が、前記取付部に設けられた貫通穴と前記挟持部材に設けられた貫通穴との双方に通されてこれら取付部と挟持部材とを前記取付部材に取り付けるネジであることから、取付部と挟持部材とを一度に取付部材に取り付けることができ、さらに、挟持部材が前記連結部を取付部材に向かって押し付ける荷重を容易に微調整することができる。
【００１７】
請求項５に記載された発明によれば、前記挟持部材に、前記電線接続部が前記電線を圧接する方向を規制する規制部がさらに設けられていることから、確実に電線接続部を電線に圧接接続させることができる。
【００１８】
請求項６に記載された発明によれば、前記取付部が互いに重なるとともに前記電線接続部及び前記連結部が互いにずれた位置に位置付けられる一対の前記端子金具と、これら端子金具の前記取付部同士の間に設けられて前記端子金具同士を絶縁する絶縁部材と、をさらに有していることから、一方の端子金具の取付部と他方の端子金具の取付部とを一度に取付部材に取り付けることができる。
【００１９】
請求項７に記載された発明によれば、前記端子金具を介して前記電線と接続されるプリント基板をさらに有し、そして、前記プリント基板が、前記取付部とともに重ねられて前記取付部材に取り付けられることから、取付部とプリント基板とを一度に取付部材に取り付けることができる。即ち、電線と電線接続部とを圧接接続させるのと同時に取付部とプリント基板とを接続させることができる。また、はんだを用いずに電線とプリント基板とを接続させることができる。
【発明を実施するための最良の形態】
【００２０】
以下、本発明の一実施の形態に係る接続構造を図１ないし図８を参照して説明する。図１は、本発明の一実施の形態に係る接続構造を示す斜視図である。図２は、図１に示された接続構造を他の方向から見た平面図である。図３は、図１に示された接続構造の組み立て方法を説明する説明図であり、端子金具が電線及びプリント基板に接続される前の状態を示す図である。図４は、図１に示された接続構造の組み立て方法を説明する説明図であり、図３に示された端子金具が電線及びプリント基板に徐々に近付けられている状態を示す説明図である。図５は、図４中のＢ−Ｂ線に沿った断面図である。図６は、図１中のＡ−Ａ線に沿った断面図である。図７は、図１に示された接続構造の端子金具と挟持部材とを示す斜視図である。図８は、図１に示された接続構造の取付部材と電線とを示す斜視図である。
【００２１】
図１に示す接続構造１０は、取付部材２に保持された電線３と端子金具としての圧接端子１Ａ，１Ｂとを接続させるとともに、この圧接端子１Ａ，１Ｂを介して電線３とプリント基板６とを接続させる接続構造１０であり、この接続構造１０は、前記取付部材２と、前記電線３と、前記圧接端子１Ａ，１Ｂと、前記プリント基板６と、変形手段としての挟持部材５Ａ，５Ｂ及びネジ（移動部材に相当する。）４と、を有している。また、本実施形態の接続構造１０は、２本の電線３をプリント基板６に接続する。このため、端子金具１Ａ，１Ｂと挟持部材５Ａ，５Ｂとはそれぞれ２つずつ設けられている。
【００２２】
上記電線３は、導電性の芯線を絶縁性の被覆部で覆った所謂被覆電線である。また、この電線３は、断面が丸型の丸電線である。この電線３は、取付部材２に設けられた電線収容溝２６Ａ，２６Ｂ内に収容されることにより、この取付部材２に保持されている。
【００２３】
上記プリント基板６は、図３に示すように、板状に形成された絶縁性の基板６１の表面に、導体パターン６２が設けられ、図示しない複数の電子部品が搭載された周知のプリント基板６である。また、プリント基板６には、ネジ４が螺合する貫通穴６３が設けられている。このプリント基板６は、取付部材２に設けられたプリント基板取付部２３の表面上に位置付けられ、前記貫通穴６３にネジ４が螺合することにより前記プリント基板取付部２３に固定される。
【００２４】
上記圧接端子１Ａ，１Ｂは、銅または銅合金（黄銅、ベリリウム銅などを含む）で構成された導電性金属板に打ち抜き加工や曲げ加工などが施されて得られるものである。この圧接端子１Ａ，１Ｂは、図７などに示すように、電線３に圧接接続する電線接続部１１Ａ，１１Ｂと、取付部材２に取り付けられる取付部１２Ａ，１２Ｂと、電線接続部１１Ａ，１１Ｂと取付部１２Ａ，１２Ｂとを連結した平板状の部分が折り曲げられて設けられた連結部１３Ａ，１３Ｂと、プリント基板６に接続される基板接続部１４Ａ，１４Ｂと、を有している。
【００２５】
上記電線接続部１１Ａ，１１Ｂは、平板状に形成され、該平板状の部分の取付部１２Ａ，１２Ｂから離れた外縁部から取付部１２Ａ，１２Ｂに向かって延びたスリット１１１が設けられている。このスリット１１１に電線３が侵入することにより、電線接続部１１Ａ，１１Ｂが電線３の被覆部を突き破り、この電線３の芯線と接触する。即ち、スリット１１１に電線３が侵入することにより、電線接続部１１Ａ，１１Ｂが電線３に圧接接続する。
【００２６】
上記取付部１２Ａ，１２Ｂは、平板状に形成され、ネジ４が螺合する貫通穴１５が設けられている。この取付部１２Ａ，１２Ｂは、互いに重ねされ、プリント基板６とともに重ねられて、前記貫通穴１５にネジ４が螺合することによりプリント基板６とともにプリント基板取付部２３に固定される。
【００２７】
上記連結部１３Ａ，１３Ｂは、図７に示すように、上記平板状の部分が、電線接続部１１Ａ，１１Ｂとの境界位置１３２と、取付部１２Ａ，１２Ｂとの境界位置１３１と、において２回折り曲げられて設けられている。また、境界位置１３２における折り曲げ方向は、境界位置１３１における折り曲げ方向と反対になっている。また、前述したように折り曲げられた状態において、境界位置１３２は、境界位置１３１よりも取付部１２Ａ，１２Ｂの下面側に位置付けられている。また、前記下面とは、取付部１２Ａ，１２Ｂの２つの面のうちプリント基板６に重なる側の面を意味している。
【００２８】
このような連結部１３Ａ，１３Ｂは、取付部１２Ａ，１２Ｂがネジ４によりプリント基板取付部２３に取り付けられるのに連動して挟持部材５Ａ，５Ｂによりプリント基板取付部２３に向かって押圧されることにより、境界位置１３１，１３２における折り曲げ部分が折り曲げられる前の状態に戻されて、縮んだ状態、即ち折り曲げられた状態、から伸びた状態に変形する。このことにより、電線接続部１１Ａ，１１Ｂが取付部１２Ａ，１２Ｂから離れた側に移動されて、該電線接続部１１Ａ，１１Ｂが電線３に圧接接続する。
【００２９】
上記基板接続部１４Ａ，１４Ｂは、取付部１２Ａ，１２Ｂの連結部１３Ａ，１３Ｂから離れた外縁部から突出しており、前記外縁部から離れた端部が取付部１２Ａ，１２Ｂの下面側に折り返されて設けられている。この基板接続部１４Ａ，１４Ｂは、プリント基板６の導体パターン６２に重ねられて該導体パターン６２に接続される。
【００３０】
また、上述した圧接端子１Ａ，１Ｂは、取付部１２Ａ，１２Ｂ同士が重ねられた状態において、電線接続部１１Ａ，１１Ｂ同士、及び連結部１３Ａ，１３Ｂ同士、並びに基板接続部１４Ａ，１４Ｂ同士が、電線接続部１１Ａ，１１Ｂと連結部１３Ａ，１３Ｂとの並び方向と直交する方向に沿って互いにずれた位置に位置付けられる。また、圧接端子１Ａ，１Ｂは、取付部１２Ａと取付部１２Ｂとの間に挟まれる絶縁部材としての挟持部材５Ａにより互いに絶縁される。
【００３１】
本発明では、このように、取付部１２Ａ，１２Ｂ同士が互いに重なるとともに電線接続部１１Ａ，１１Ｂ同士、及び連結部１３Ａ，１３Ｂ同士、並びに基板接続部１４Ａ，１４Ｂ同士が互いにずれた位置に位置付けられる一対の圧接端子１Ａ，１Ｂと、取付部１２Ａと取付部１２Ｂとの間に挟まれて圧接端子１Ａ，１Ｂ同士を絶縁する挟持部材５Ａと、を有していることから、一方の圧接端子１Ａの取付部１２Ａと他方の圧接端子１Ｂの取付部１２Ｂとを一度に取付部材２に取り付けることができる。
【００３２】
上記取付部材２は、絶縁性の合成樹脂で構成され、図１及び図８などに示すように、平板状に形成された第１の板部２１と、この第１の板部２１の一つの外縁部から立設し、平板状に形成された第２の板部２２と、を有し、側方から見て略Ｌ字型に形成されている。また、取付部材２は、第１の板部２１から立設し、該第１の板部２１の面方向と平行な上記表面を有する上記プリント基板取付部２３と、第１の板部２１から立設し、該第１の板部２１の面方向と平行な表面を有する端子取付部２５と、を有している。
【００３３】
上記プリント基板取付部２３には、前記表面から第１の板部２１に向かって凹に形成された、ネジ４が螺合する凹部２４が設けられている。
【００３４】
上記端子取付部２５は、一端がプリント基板取付部２３に連なり、他端が第２の板部２２に連なっている。また、この端子取付部２５は、図５及び図６に示すように、前記表面上に電線接続部１１Ａ，１１Ｂ及び連結部１３Ａ，１３Ｂを位置付ける。また、この端子取付部２５のプリント基板取付部２３と隣接していない両外縁部には、該端子取付部２５の前記表面から立設した立設壁２８，２９が設けられている。また、立設壁２８，２９同士の中央部分には、該端子取付部２５の前記表面から立設した中央壁２７が設けられている。そして、端子取付部２５の前記表面上をプリント基板取付部２３側から第２の板部２２側に向かって摺動する電線接続部１１Ａ，１１Ｂ及び連結部１３Ａ，１３Ｂは、それぞれ、立設部２８と中央壁２７との間、立設壁２９と中央壁２７との間を移動される。このことにより、電線接続部１１Ａ，１１Ｂ及び連結部１３Ａ，１３Ｂが、プリント基板取付部２３側から第２の板部２２側に向かって予め定められた軌跡通りに真っ直ぐに移動される。
【００３５】
また、上記取付部材２には、プリント基板取付部２３と、端子取付部２５と、第２の板部２２とに渡って連続して形成された上記電線収容溝２６Ａ，２６Ｂが設けられている。この電線収容溝２６Ａ，２６Ｂは、プリント基板取付部２３の前記表面、及び端子取付部２５の前記表面から第１の板部２１に向かって凹に形成されているとともに、第２の板部２２の第１の板部２１寄りの表面から凹に形成されている。また、この電線収容溝２６Ａ，２６Ｂの幅は、電線３の径よりもわずかに大きく形成されている。このような電線収容溝２６Ａ，２６Ｂに収容された電線３は、第１の板部２１の表面及び第２の板部２２の表面を這う格好で取付部材２に保持されている。
【００３６】
また、電線接続部１１Ａ，１１Ｂは、図６に示すように、第２の板部２２の表面を這わされた電線３の、端子取付部２５の前記表面と同じ高さの位置に位置付けられた部分に圧接接続する。このため、第２の板部２２の端子取付部２５の前記表面と同じ高さの位置には、図２に示すように、電線３を圧接した電線接続部１１Ａ，１１Ｂの先端部が通される貫通穴２０が２つ設けられている。
【００３７】
このように、電線接続部１１Ａ，１１Ｂは、電線３の長手方向と略直交する方向（図４中に二点鎖線の矢印Ｘで示す。）に沿って該電線３に圧接接続する。また、この第２の板部２２の表面を這わされた電線３の長手方向、即ち第２の板部２２の面方向、は、ネジ４の凹部２４への螺合方向、即ち取付部１２Ａ，１２Ｂのプリント基板取付部２３への取付方向（図４中に一点鎖線の矢印Ｙで示す。）、と平行である。
【００３８】
上記挟持部材５Ａ，５Ｂは、絶縁性の合成樹脂で構成され、取付部１２Ａ，１２Ｂとほぼ等しい形状の平板状に形成された本体部５２Ａ，５２Ｂと、この本体部５２Ａ，５２Ｂの外縁部から本体部５２Ａ，５２Ｂの面方向に沿って延びた連結部１３Ａ，１３Ｂに当接する当接部５３Ａ，５３Ｂと、この当接部５３Ａ，５３Ｂの本体部５２Ａ，５２Ｂから離れた端部に連なり本体部５２Ａ，５２Ｂの面方向に沿って延びた電線接続部１１Ａ，１１Ｂに当接する規制部５１Ａ，５１Ｂを有している。また、一方の挟持部材５Ａは、圧接端子１Ａ，１Ｂ同士の間に挟まれ、他方の挟持部材５Ｂは、一方の挟持部材５Ａとの間に他方の圧接端子１Ｂを挟む。
【００３９】
また、上記本体部５２Ａ，５２Ｂには、ネジ４が螺合する貫通穴５４が設けられている。このような挟持部材５Ａ，５Ｂは、本体部５２Ａ，５２Ｂと取付部１２Ａ，１２Ｂとが上述した順に重ねられ、ネジ４が貫通穴５４に螺合することにより、取付部１２Ａ，１２Ｂとともにプリント基板６、即ちプリント基板取付部２３、に固定される。
【００４０】
上記当接部５３Ａ，５３Ｂは、端子取付部２５との間に連結部１３Ａ，１３Ｂを位置付け、ネジ４により本体部５２Ａ，５２Ｂがプリント基板取付部２３に取り付けられるのに連動して、連結部１３Ａ，１３Ｂをプリント基板取付部２３に向かって押圧する。また、電線接続部１１Ａ，１１Ｂが電線３に圧接接続した状態で、当接部５３Ａ，５３Ｂは連結部１３Ａ，１３Ｂと面接触する。
【００４１】
上記規制部５１Ａ，５１Ｂは、端子取付部２５との間に電線接続部１１Ａ，１１Ｂを位置付け、ネジ４により本体部５２Ａ，５２Ｂがプリント基板取付部２３に取り付けられるにしたがって徐々に電線接続部１１Ａ，１１Ｂに近付き、電線接続部１１Ａ，１１Ｂが電線３に圧接接続した状態で、電線接続部１１Ａ，１１Ｂと面接触する。このように規制部５１Ａ，５１Ｂは、徐々に電線接続部１１Ａ，１１Ｂに近付くことにより、電線接続部１１Ａ，１１Ｂが端子取付部２５の前記表面の面方向と交差する方向に沿って移動することを規制する。また、電線３に圧接接続した電線接続部１１Ａ，１１Ｂが位置ずれすることを規制する。
【００４２】
本発明では、このように、挟持部材５Ａ，５Ｂに、電線接続部１１Ａ，１１Ｂが電線３を圧接する方向を規制する規制部がさらに設けられていることから、確実に電線接続部１１Ａ，１１Ｂを電線３に圧接接続させることができる。
【００４３】
また、本発明では、上述したように、電線接続部１１Ａ，１１Ｂと取付部１２Ａ，１２Ｂとを連結した部分が折り曲げられて設けられ、取付部１２Ａ，１２Ｂが取付部材２に取り付けられるのに連動して縮んだ状態から伸びた状態に変形する連結部１３Ａ，１３Ｂと、この連結部１３Ａ，１３Ｂをプリント基板取付部２３に向かって押圧する挟持部材５Ａ，５Ｂと、この挟持部材５Ａ，５Ｂを取付部１２Ａ，１２Ｂが取付部材２に取り付けられるのに連動して取付部材２に近付く方向に移動させるネジ４と、をを有していることから、取付部１２Ａ，１２Ｂが取付部材２に取り付けられる方向（図４中に一点鎖線の矢印Ｙで示す。）と交差する方向（図４中に二点鎖線の矢印Ｘで示す。）に沿って電線接続部１１Ａ，１１Ｂを電線３に圧接接続させることができる。よって、第２の板部２２に保持された電線３の長手方向に沿ってしか、取付部１２Ａ，１２Ｂを取付部材２に取り付けられない場合でも、電線接続部１１Ａ，１１Ｂを電線３に圧接接続させることができる。
【００４４】
上記ネジ４は、ドライバーの先端が当てられる頭部と、ねじ山が刻まれた軸部とを有する周知の構成のネジ４である。このネジ４は、上述したように、挟持部材５Ａ，５Ｂに設けられた貫通穴５４と、圧接端子１Ａ，１Ｂに設けられた貫通穴１５と、プリント基板６に設けられた貫通穴６３と、プリント基板取付部２３に設けられた凹部２４と、に螺合することにより、挟持部材５Ａ，５Ｂと、圧接端子１Ａ，１Ｂと、プリント基板６と、をともにプリント基板取付部２３に固定する。また、ネジ４は、凹部２４に螺合していくにしたがって、挟持部材５Ａ，５Ｂの当接部５３Ａ，５３Ｂを端子取付部２５に近付く方向に移動させる。
【００４５】
本発明では、このように、ネジ４が貫通穴５４，１５，６３に通されて挟持部材５Ａ，５Ｂと、圧接端子１Ａ，１Ｂと、プリント基板６とをともにプリント基板取付部２３に固定することから、これらを一度にプリント基板取付部２３に固定することができる。さらに、挟持部材５Ａ，５Ｂの当接部５３Ａ，５３Ｂが連結部１３Ａ，１３Ｂを端子取付部２５に向かって押し付ける荷重を容易に微調整することができる。
【００４６】
続いて、上述した構成の接続構造１０の組み立て方法、即ち接続方法、を以下、説明する。
【００４７】
まず、図８に示すように、電線収容溝２６Ａ，２６Ｂ内に電線３を収容し、電線３を取付部材２に取り付ける。そして、図３に示すように、プリント基板６をプリント基板取付部２３の表面に重ね、プリント基板６の貫通穴６３を凹部２４に合わせる。そして、この貫通穴６３に貫通穴５４及び貫通穴１５が重なるように圧接端子１Ａ，１Ｂと挟持部材５Ａ，５Ｂとをプリント基板６に重ねる。
【００４８】
そして、図４及び図５に示すように、これら貫通穴５４，１５，６３、及び凹部２４にネジ４を螺合させていくと、挟持部材５Ａ，５Ｂの当接部５３Ａ，５３Ｂが連結部１３Ａ，１３Ｂを端子取付部２５に向かって押し付けることにより、連結部１３Ａ，１３Ｂが縮んだ状態から伸びた状態に変形し、図１及び図６に示すように、電線接続部１１Ａ，１１Ｂがネジ４の螺合方向と略直交する方向に移動して電線３に圧接接続する。こうして、取付部材２に保持された電線３と圧接端子１Ａ，１Ｂとが接続するとともに、この圧接端子１Ａ，１Ｂを介して電線３とプリント基板６とが接続する。
【００４９】
上述した接続構造１０によれば、ネジ４を１本止めるだけで、取付部材２に保持された電線３と圧接端子１Ａ，１Ｂとを接続させるのと同時に電線３とプリント基板６とを接続させることができる。また、はんだを用いることなくこれらを接続させることができる。
【００５０】
また、上述した実施形態では、接続構造１０が、取付部材２に保持された電線３と圧接端子１Ａ，１Ｂとを接続させるとともに、この圧接端子１Ａ，１Ｂを介して電線３とプリント基板６とを接続させる接続構造１０であったが、本発明の接続構造は、少なくとも、取付部材に保持された電線と端子金具とを接続させる接続構造であれば良い。
【００５１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５２】
【図１】本発明の一実施の形態に係る接続構造を示す斜視図である。
【図２】図１に示された接続構造を他の方向から見た平面図である。
【図３】図１に示された接続構造の組み立て方法を説明する説明図であり、端子金具が電線及びプリント基板に接続される前の状態を示す図である。
【図４】図１に示された接続構造の組み立て方法を説明する説明図であり、図３に示された端子金具が電線及びプリント基板に徐々に近付けられている状態を示す説明図である。
【図５】図４中のＢ−Ｂ線に沿った断面図である。
【図６】図１中のＡ−Ａ線に沿った断面図である。
【図７】図１に示された接続構造の端子金具と挟持部材とを示す斜視図である。
【図８】図１に示された接続構造の取付部材と電線とを示す斜視図である。
【符号の説明】
【００５３】
１Ａ，１Ｂ  圧接端子（端子金具）
２  取付部材
３  電線
４  ネジ（移動部材、変形手段）
５Ａ  挟持部材（変形手段、絶縁部材）
５Ｂ  挟持部材（変形手段）
６  プリント基板
１０  接続構造
１１Ａ，１１Ｂ  電線接続部
１２Ａ，１２Ｂ  取付部
１３Ａ，１３Ｂ  連結部
１５  貫通穴
５１Ａ，５１Ｂ  規制部
５４  貫通穴
【図１】
2009076225.tif 000003
【図２】
2009076225.tif 000004
【図３】
2009076225.tif 000005
【図４】
2009076225.tif 000006
【図５】
2009076225.tif 000007
【図６】
2009076225.tif 000008
【図７】
2009076225.tif 000009
【図８】
2009076225.tif 000010